【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
手動でピント調整部材を操作することによってピント合わせを行うマニュアルフォーカス機能と、
前記マニュアルフォーカス機能が選択されない場合には、前記撮像手段から得られる画像信号の画素数が前記画像表示手段の画素数と一致するように前記画像信号の水平方向及び垂直方向の画素を所定の割合の間引き率で間引いて前記画像表示手段に出力する手段と、
前記マニュアルフォーカス機能が選択された場合には、前記撮像手段による全撮影画像から所定の部分画像を切り出し、該切り出した部分画像を示す画像信号をそのまま、又は前記部分画像の画像信号の水平方向及び垂直方向の画素を前記所定の割合の間引き率よりも小さい間引き率で間引いて前記画像表示手段に出力し、前記切り出した部分画像を前記画像表示手段の画面に拡大表示させる拡大処理手段と、
を備えたことを特徴とする電子カメラ。
【請求項２】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
手動でピント調整部材を操作することによってピント合わせを行うマニュアルフォーカス機能と、
前記ピント調整部材によるマニュアルフォーカスが不可の場合には、前記撮像手段から得られる画像信号の画素数が前記画像表示手段の画素数と一致するように前記画像信号の水平方向及び垂直方向の画素を所定の割合の間引き率で間引いて前記画像表示手段に出力する手段と、
前記ピント調整部材の操作によるマニュアルフォーカスが可能の場合には、前記撮像手段による全撮影画像から所定の部分画像を切り出し、該切り出した部分画像を示す画像信号をそのまま、又は前記部分画像の画像信号の水平方向及び垂直方向の画素を前記所定の割合の間引き率よりも小さい間引き率で間引いて前記画像表示手段に出力し、前記切り出した部分画像を前記画像表示手段の画面に拡大表示させる拡大処理手段と、
を備えたことを特徴とする電子カメラ。
【請求項３】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
手動でピント調整部材を操作することによってピント合わせを行うマニュアルフォーカス機能と、
前記マニュアルフォーカス機能が選択されない場合、又は前記ピント調整部材によるマニュアルフォーカスが不可の場合には、前記撮像手段から得られる画像信号の画素数が前記画像表示手段の画素数と一致するように前記画像信号の水平方向及び垂直方向の画素を所定の割合の間引き率で間引いて前記画像表示手段に出力する手段と、
前記マニュアルフォーカス機能が選択された場合、又は前記ピント調整部材の操作によるマニュアルフォーカスが可能の場合には、前記撮像手段による全撮影画像から所定の部分画像を切り出し、該切り出した部分画像を示す画像信号をそのまま、又は前記部分画像の画像信号の水平方向及び垂直方向の画素を前記所定の割合の間引き率よりも小さい間引き率で間引いて前記画像表示手段に出力し、前記切り出した部分画像を前記画像表示手段の画面に拡大表示させる拡大処理手段と、
を備えたことを特徴とする電子カメラ。
【請求項４】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
自動的にピント合わせを行うオートフォーカス機能と、
前記オートフォーカス機能が選択された場合には、前記撮像手段から得られる画像信号の画素数が前記画像表示手段の画素数と一致するように前記画像信号の水平方向及び垂直方向の画素を所定の割合の間引き率で間引いて前記画像表示手段に出力する手段と、
前記オートフォーカス機能が選択されない場合には、前記撮像手段による全撮影画像から所定の部分画像を切り出し、該切り出した部分画像を示す画像信号をそのまま、又は前記部分画像の画像信号の水平方向及び垂直方向の画素を前記所定の割合の間引き率よりも小さい間引き率で間引いて前記画像表示手段に出力し、前記切り出した部分画像を前記画像表示手段の画面に拡大表示させる拡大処理手段と、
を備えたことを特徴とする電子カメラ。
【請求項５】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
手動でピント調整部材を操作することによってピント合わせを行うマニュアルフォーカス機能と、
自動的にピント合わせを行うオートフォーカス機能と、
前記マニュアルフォーカス機能とオートフォーカス機能とを切り換える切換えスイッチと、
前記切換えスイッチによって前記オートフォーカス機能が選択された場合には、前記撮像手段から得られる画像信号の画素数が前記画像表示手段の画素数と一致するように前記画像信号の水平方向及び垂直方向の画素を所定の割合の間引き率で間引いて前記画像表示手段に出力する手段と、
前記切換えスイッチによって前記マニュアルフォーカス機能が選択された場合には、前記撮像手段による全撮影画像から所定の部分画像を切り出し、該切り出した部分画像を示す画像信号をそのまま、又は前記部分画像の画像信号の水平方向及び垂直方向の画素を前記所定の割合の間引き率よりも小さい間引き率で間引いて前記画像表示手段に出力し、前記切り出した部分画像を前記画像表示手段の画面に拡大表示させる拡大処理手段と、
を備えたことを特徴とする電子カメラ。
【請求項６】
前記画像表示手段をＯＮ／ＯＦＦさせる表示スイッチを有し、前記切換えスイッチによって前記マニュアルフォーカス機能が選択されると、前記画像表示手段を強制的にＯＮさせることを特徴とする請求項５に記載の電子カメラ。
【請求項７】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
マクロ撮影に切り換えるマクロスイッチと、
前記マクロスイッチによってマクロ撮影に切り換えられていない場合には、前記撮像手段から得られる画像信号の画素数が前記画像表示手段の画素数と一致するように前記画像信号の水平方向及び垂直方向の画素を所定の割合の間引き率で間引いて前記画像表示手段に出力する手段と、
前記マクロスイッチによってマクロ撮影に切り換えられた場合には、前記撮像手段による全撮影画像から所定の部分画像を切り出し、該切り出した部分画像を示す画像信号をそのまま、又は前記部分画像の画像信号の水平方向及び垂直方向の画素を前記所定の割合の間引き率よりも小さい間引き率で間引いて前記画像表示手段に出力し、前記切り出した部分画像を前記画像表示手段の画面に拡大表示させる拡大処理手段と、
を備えたことを特徴とする電子カメラ。
【請求項８】
前記画像表示手段をＯＮ／ＯＦＦさせる表示スイッチを有し、前記マクロスイッチによってマクロ撮影に切り換えられると、前記画像表示手段を強制的にＯＮさせることを特徴とする請求項７に記載の電子カメラ。
【請求項９】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
前記画像表示手段の表示画面に設けられ、該表示画面上の拡大エリアを指定するタッチパネルと、
前記タッチパネルによって拡大エリアが指定されない場合には、前記撮像手段から得られる画像信号の画素数が前記画像表示手段の画素数と一致するように前記画像信号の水平方向及び垂直方向の画素を所定の割合の間引き率で間引いて前記画像表示手段に出力する手段と、
前記タッチパネルによって拡大エリアが指定された場合には、前記撮像手段による全撮影画像から前記指定された拡大エリアに対応する部分画像を切り出し、該切り出した部分画像を示す画像信号をそのまま、又は前記部分画像の画像信号の水平方向及び垂直方向の画素を前記所定の割合の間引き率よりも小さい間引き率で間引いて前記画像表示手段に出力し、前記切り出した部分画像を前記画像表示手段の画面に拡大表示させる拡大処理手段と、
を備えたことを特徴とする電子カメラ。
【請求項１０】
手動でピント調整部材を操作することによってピント合わせを行うマニュアルフォーカス機能を有することを特徴とする請求項４、７、８、又は９に記載の電子カメラ。
【請求項１１】
被写体を示す画像光を固体撮像素子の受光面に結像し、前記固体撮像素子の受光面に結像された画像光を画像信号に変換する撮像手段と、
前記撮像手段によって得られた画像信号を記録する記録手段と、
前記固体撮像素子の画素数よりも画素数が少ない画像を表示する画像表示手段と、
手動でピント調整部材を操作することによってピント合わせを行うマニュアルフォーカス機能と、
前記撮像手段による全撮影画像から所定の部分画像を切り出し、該切り出した部分画像を前記画像表示手段の画面に拡大表示させる拡大処理手段と、を備え、
前記拡大処理手段は、前記ピント調整部材を手動で操作することに応じて、前記切り出した部分画像を前記画像表示手段の画面に拡大表示させることを特徴とする電子カメラ。
【請求項１２】
前記画像表示手段が前記部分画像を拡大表示している間、該画像表示手段での表示が拡大表示中であることを警告する警告手段を有することを特徴とする請求項１乃至１１のいずれかに記載の電子カメラ。
【請求項１３】
前記警告手段は、前記画像表示手段での表示が拡大表示中であることを示すアイコンを前記画像表示手段に表示させることを特徴とする請求項１２に記載の電子カメラ。
【請求項１４】
前記アイコンは、虫眼鏡を示すアイコンであることを特徴とする請求項１３に記載の電子カメラ。
【手続補正２】
【補正対象書類名】明細書
【補正対象項目名】００２３
【補正方法】変更
【補正の内容】
【００２３】
請求項１０に示すように請求項に記載の４、７、８、又は９に記載の電子カメラにおいて、手動でピント調整部材を操作することによってピント合わせを行うマニュアルフォーカス機能を有することを特徴としている。
請求項１１に係る電子カメラは、被写体を示す画像光を固体撮像素子の受光面に結像し、前記固体撮像素子の受光面に結像された画像光を画像信号に変換する撮像手段と、前記撮像手段によって得られた画像信号を記録する記録手段と、前記固体撮像素子の画素数よりも画素数が少ない画像を表示する画像表示手段と、手動でピント調整部材を操作することによってピント合わせを行うマニュアルフォーカス機能と、前記撮像手段による全撮影画像から所定の部分画像を切り出し、該切り出した部分画像を前記画像表示手段の画面に拡大表示させる拡大処理手段と、を備え、前記拡大処理手段は、前記ピント調整部材を手動で操作することに応じて、前記切り出した部分画像を前記画像表示手段の画面に拡大表示させることを特徴としている。
【手続補正３】
【補正対象書類名】明細書
【補正対象項目名】００２４
【補正方法】変更
【補正の内容】
【００２４】
請求項１２に示すように請求項１乃至１１のいずれかに記載の電子カメラにおいて、前記画像表示手段が前記部分画像を拡大表示している間、該画像表示手段での表示が拡大表示中であることを警告する警告手段を有することを特徴としている。これにより、画像表示手段によって表示されている画像が、全撮影画像か又は全撮影画像から切り出された部分画像かを認識することができる。
【手続補正４】
【補正対象書類名】明細書
【補正対象項目名】００２５
【補正方法】変更
【補正の内容】
【００２５】
請求項１３に示すように請求項１２に記載の電子カメラにおいて、前記警告手段は、前記画像表示手段での表示が拡大表示中であることを示すアイコンを前記画像表示手段に表示させることを特徴としている。
【手続補正５】
【補正対象書類名】明細書
【補正対象項目名】００２６
【補正方法】変更
【補正の内容】
【００２６】
請求項１４に示すように請求項１３に記載の電子カメラにおいて、前記アイコンは、虫眼鏡を示すアイコンであることを特徴としている。